(57)【特許請求の範囲】
【請求項１】
鉱油及び合成油から選ばれる炭化水素系基油に、組成物全量基準で、（Ａ）サルコシン酸誘導体０．０１２〜０．０４質量％、（Ｂ）アルケニルコハク酸エステル０．０１〜０．０３質量％、（Ｃ）アミン系酸化防止剤０．１〜３．０質量％、および（Ｄ）フェノール系酸化防止剤０．１〜３．０質量％を含有し、前記（Ａ）サルコシン酸誘導体が、下記一般式（１）で表される化合物であり、及び前記（Ｂ）アルケニルコハク酸エステルが、下記一般式（２）で表される化合物であることを特徴とする潤滑油組成物。  
【化１】
0006721377.tif 000009
（式（１）中、Ｒ１は、炭素数６〜２４のアルキル基、アルケニル基又はアリール基を示す。） 
【化２】
0006721377.tif 000010
（式（２）中、Ｚ１およびＺ２は、水素又は炭素数２〜３０のヒドロキシアルキル基を示し、少なくとも一方はヒドロキシアルキル基である。またＲ１〜Ｒ４は、それぞれ個別に水素、炭素数１〜３０のアルキル基またはアルケニル基を示し、少なくとも一方はアルケニル基である。）
【請求項２】
前記炭化水素系基油が、芳香族含有量１０質量％以下の鉱油系基油および／または芳香族環を含有しない合成油系基油であり、％ＣＰが５０以上であることを特徴とする請求項１に記載の潤滑油組成物。  
【請求項３】
前記（Ｃ）アミン系酸化防止剤が、ジアルキルジフェニルアミン系酸化防止剤および／またはアルキルフェニル―α―ナフチルアミン系酸化防止剤であることを特徴とする請求項１又は２に記載の潤滑油組成物。  
【請求項４】
前記（Ｄ）フェノール系酸化防止剤が、ジ−ｔｅｒｔ−ブチル−ｐ−クレゾールであることを特徴とする請求項１〜３のいずれか１項に記載の潤滑油組成物。  
【請求項５】
前記（Ｄ）フェノール系酸化防止剤０．１〜２．０質量％を含有することを特徴とする請求項１〜４のいずれか１項に記載の潤滑油組成物。  
【請求項６】
さらに、腐食防止剤、流動点降下剤および消泡剤から選ばれる少なくとも１種の添加剤を含有することを特徴とする請求項１〜５のいずれか１項に記載の潤滑油組成物。  
【発明の詳細な説明】
【技術分野】
【０００１】
本発明は、潤滑油組成物に関する。
【背景技術】
【０００２】
産業用発電の分野において、コンバインドサイクルの活用など、発電効率の向上が年々強く求められるようになっている。発電効率の向上の有効な方法として、高温下で燃料を燃焼させる手法がある。そのためガスタービン入口燃焼ガス温度は上昇の一途をたどっている。
【０００３】
１３００℃級コンバインドサイクル発電（ＡＣＣ（Advanced Combined Cycle）発電）、１５００℃級ＭＡＣＣ（More ACC）発電、１６００℃級ＭＡＣＣ２発電のように燃焼ガス温度が上昇し、装置の過酷度が上がるにつれ、タービン油への負荷も確実に高くなってきている。このような過酷な環境で使用可能な従来よりも長寿命、高酸化安定性、低スラッジのタービン油が望まれるため、従来からタービン油には、その酸化安定性の向上検討がなされてきた。それに加えて、タービン油中には、水分が混入する機会が多いため、高い錆止め性能が求められる。またタービン油に水が混入した場合に、潤滑油の性能を低下させないためには、速やかに水層と油層が分離し、乳化させない抗乳化性能を有することが求められている。
【０００４】
こうしたことから、従来もさび止め性能を配合したタービン油が提案されているが、錆び止め剤の含有量と抗乳化性能は相反する関係にあり、錆び止め剤の含有量を多くすると抗乳化性が悪くなるとの特徴から、高度なさび止め性能と良好な抗乳化性能を実現することが難しかった。
【先行技術文献】
【特許文献】
【０００５】
【特許文献１】特開２００８−４５１１１号公報
【発明の概要】
【発明が解決しようとする課題】
【０００６】
本発明は、従来処方では両立が不可能であった、優れたさび止め性能と抗乳化性を両立した、潤滑油組成物を提供することを目的とするものである。特に産業向けガスタービンあるいはコンバインドサイクルでの使用に好適に用いられる潤滑油組成物を提供することを目的とする。
【課題を解決するための手段】
【０００７】
本発明者らは前記課題について鋭意研究した結果、所定の基油に、特定の２種類のさび止め剤および特定の２種類の酸化防止剤を組み合わせ、かつそれらを極めて狭い範囲内の特定量を含有させた場合に、その目的を達成できることを見出し、本発明を完成したものである。
【０００８】
すなわち、本発明は、鉱油及び合成油から選ばれる炭化水素系基油に、組成物全量基準で、（Ａ）サルコシン酸誘導体０．００８〜０．０４質量％、（Ｂ）アルケニルコハク酸エステル０．０１〜０．０７質量％、（Ｃ）アミン系酸化防止剤０．１〜３．０質量％、および（Ｄ）フェノール系酸化防止剤０．１〜３．０質量％を含有することを特徴とする潤滑油組成物である。
【発明の効果】
【０００９】
本発明によれば、さび止め性能と抗乳化性能の双方を高水準で達成することができ、従来よりも長期使用環境下で優れた特性を発揮する潤滑油組成物が実現される。
【発明を実施するための形態】
【００１０】
以下、本発明について詳述する。
【００１１】
本発明の潤滑油組成物は、潤滑油基油として、鉱油及び合成油から選ばれる炭化水素系基油が用いられる。
【００１２】
鉱油としては、原油を常圧蒸留および減圧蒸留して得られた潤滑油留分に対して、溶剤脱れき、溶剤抽出、水素化分解、溶剤脱ろう、接触脱ろう、水素化精製、硫酸洗浄、白土処理などの１種もしくは２種以上の精製手段を適宜組み合わせて適用して得られるパラフィン系またはナフテン系などの鉱油系基油等が例示できる。
【００１３】
鉱油の芳香族含有量は１０質量％以下であることが好ましく、８質量％以下がより好ましい。なお、ここでいう芳香族含有量とは、ＡＳＴＭ  Ｄ  ２５４９−８１に規定された方法で測定される値である。
また、％ＣＰが５０以上が好ましく、６０以上がより好ましく、７０以上がさらに好ましい。
【００１４】
合成油としては、例えば、ポリα−オレフィン（エチレン−プロピレン共重合体、ポリブテン、１−オクテンオリゴマー、１−デセンオリゴマー、およびこれらの水素化物等）、モノエステル（ブチルステアレート、オクチルラウレート）、ジエステル（ジトリデシルグルタレート、ジ−２−エチルヘキシルアジペート、ジイソデシルアジペート、ジトリデシルアジペート、ジ−２−エチルヘキシルセパケート等）、ポリエステル（トリメリット酸エステル等）、ポリオールエステル（トリメチロールプロパンカプリレート、トリメチロールプロパンペラルゴネート、ペンタエリスリトール−２−エチルヘキサノエート、ペンタエリスリトールペラルゴネート等）、ポリオキシアルキレングリコール、リン酸エステル、含フッ素化合物（パーフルオロポリエーテル、フッ素化ポリオレフィン等）、シリコーン油、ＦＴ反応などの合成ワックスおよび／または石油精製工程から得られるワックス（好ましくは溶剤脱ロウ工程で得られるスラックワックス）を異性化、水素化して得られる高性能炭化水素基油、テルペン類のような天然由来の不飽和炭化水素を水添して得られる炭化水素基油等が例示できる。
【００１５】
本発明に係る潤滑油基油としては、上記した基油を単独で用いてもよいし、２種以上組み合わせてもよい。
【００１６】
本発明において用いる潤滑油基油の動粘度は特に制限はないが、その４０℃での動粘度は、好ましくは１８〜４６ｍｍ２／ｓ、より好ましくは２４〜４０ｍｍ２／ｓ、特に好ましくは２８〜３６ｍｍ２／ｓに調整してなることが望ましい。潤滑油基油の４０℃での動粘度が４６ｍｍ２／ｓを超える場合は、粘性抵抗のため機械効率が悪化し、一方、その動粘度が１８ｍｍ２／ｓ未満の場合は、潤滑箇所での油膜形成が不十分であるため潤滑性に劣り、また潤滑油基油の蒸発損失が大きくなるため、それぞれ好ましくない。
【００１７】
使用される潤滑油基油の粘度指数については格別の限定はないが、１００以上であることが好ましく、より好ましくは１１０以上、さらに好ましくは１２０以上であり、通常２００以下、好ましくは１８０以下、さらに好ましくは１６０以下である。粘度指数を１００以上とすることによって、低温から高温にわたり良好な粘度特性を示す組成物を得ることができる。一方、粘度指数が高すぎると低温時の粘度が高くなる傾向があり好ましくない。
【００１８】
また、本発明において用いる潤滑油基油の硫黄含有量に特に制限はないが、０．１質量％以下であることが好ましく、０．０５質量％以下であることがより好ましく、０．０３質量％以下であることがさらに好ましく、０．０１質量％以下であることが特に好ましく、０．００５質量％以下であることが非常に好ましく、実質的に０であることが最も好ましい。潤滑油基油の硫黄含有量を低減することで酸化安定性により優れた組成物を得ることができる。
【００１９】
本発明に用いる基油としては、硫黄を含まない基材が好ましいことから、水素化分解鉱油系基油、石油系あるいはフィッシャートロピッシュ合成油等のワックスを５０質量％以上含む原料を異性化して得られるワックス異性化基油、ポリα−オレフィンなどの合成油系基油などが特に好ましい。
【００２０】
本発明の潤滑油組成物における潤滑油基油の含有量は、９５質量％以上であることが好ましく、９７質量％以上がより好ましい。
【００２１】
本発明の潤滑油組成物は、（Ａ）成分として、サルコシン酸誘導体を含有する。
サルコシン酸誘導体は、下記一般式（１）で表されるグリシンの誘導体である。
【化１】
0006721377.tif 000002
【００２２】
上記一般式（１）中、Ｒ１は、炭素数６〜２４のアルキル基、アルケニル基又はアリール基を示し、好ましくは炭素数１０〜２０の直鎖アルケニル基である。
【００２３】
一般式（１）で示されるサルコシン酸誘導体の具体例としては、例えば下記で示されるＮ−メチル−Ｎ−（１−オキソ−９−オクタデセニル）グリシンなどが挙げられる。
【化２】
0006721377.tif 000003
【００２４】
本発明の潤滑油組成物におけるサルコシン酸誘導体の含有量は、防錆能力の観点から、潤滑油組成物全量基準で、０．００８質量％以上であることが必要であり、好ましくは０．０１質量％以上であり、より好ましくは０．０１２質量％以上であり、さらに好ましくは０．０１５質量％以上である。一方、サルコシン酸誘導体の含有量は、潤滑油組成物の抗乳化性を維持するとの観点から、潤滑油組成物全量基準で、０．０４質量％以下であり、好ましくは０．０３５質量％以下、より好ましくは０．０３質量％以下であり、さらに好ましくは０．０２質量％以下である。
サルコシン酸誘導体の含有量が、０．００８質量％未満であると防錆能力が劣るため好ましくない。また含有量が０．０４質量％を超えると抗乳化性が劣るため好ましくない。
【００２５】
本発明の潤滑油組成物は、（Ｂ）成分として、アルケニルコハク酸エステルを含有する。
【００２６】
本発明で用いるアルケニルコハク酸エステルは、下記一般式（２）で示される化合物であり、アルケニルコハク酸と炭素数２〜３０の２価アルコールとのエステルである。エステルは完全エステルでも部分エステルでも良い。また２量体から数量体程度のポリエステルであっても良い。
【００２７】
【化３】
0006721377.tif 000004
【００２８】
上記一般式（２）中、Ｚ１およびＺ２は、それぞれ個別に、水素又は炭素数２〜３０、好ましくは２〜２０のヒドロキシアルキル基を示し、少なくとも一方はヒドロキシアルキル基である。好ましくはＺ１およびＺ２の一方がヒドロキシアルキル基で、他方が水素である部分エステルが挙げられる。またＲ１〜Ｒ４は、それぞれ個別に、水素、炭素数１〜３０、好ましくは３〜２４、より好ましくは１０〜２０のアルキル基またはアルケニル基を示し、少なくとも一つはアルケニル基である。またＲ１〜Ｒ４のうち一つがアルケニル基であり、その他は水素またはアルキル基であることが好ましく、水素であることがより好ましい。
【００２９】
２価アルコールとしては、例えば、エチレングリコール、ジエチレングリコール、ポリエチレングリコール（エチレングリコールの３〜１５量体）、プロピレングリコール、ジプロピレングリコール、ポリプロピレングリコール（プロピレングリコールの３〜１５量体）、１，３−プロパンジオール、１，２−プロパンジオール、１，３−ブタンジオール、１，４−ブタンジオール、２−メチル−１，２−プロパンジオール、２−メチル−１，３−プロパンジオール、１，２−ペンタンジオール、１，３−ペンタンジオール、１，４−ペンタンジオール、１，５−ペンタンジオール、ネオペンチルグリコール等が挙げられる。
【００３０】
本発明の潤滑油組成物におけるアルケニルコハク酸エステルの含有量は、防錆能力の観点から、潤滑油組成物全量基準で、０．０１質量％以上であることが必要であり、好ましくは０．０１５質量％以上であり、より好ましくは０．０２質量％以上である。一方、アルケニルコハク酸エステルの含有量は、潤滑油組成物の抗乳化性を維持するとの観点から、潤滑油組成物全量基準で、０．０７質量％以下であり、好ましくは０．０６質量％以下であり、より好ましくは０．０４質量％以下である。
アルケニルコハク酸エステルの含有量が０．０１質量％未満であると錆び止め性能が劣るため好ましくない。また含有量が０．０７質量％を超えると抗乳化性が劣るため好まない。
【００３１】
本発明の潤滑油組成物は、（Ｃ）成分として、アミン系酸化防止剤を含有する。
【００３２】
アミン系酸化防止剤としては、ジアルキルジフェニルアミン系酸化防止剤および／またはアルキルフェニル−α−ナフチルアミン系酸化防止剤などが挙げられる。
【００３３】
ジアルキルジフェニルアミン系酸化防止剤としては、例えば下記一般式（３）で表されるｐ，ｐ’−ジアルキルジフェニルアミン化合物などが挙げられる。
【００３４】
【化４】
0006721377.tif 000005
【００３５】
上記一般式（３）中、Ｒ１およびＲ２は同一でも異なっていてもよく、それぞれ水素原子または炭素数１〜１６、好ましくは４〜８のアルキル基を示す。ただし同時に水素原子となることはない。
【００３６】
炭素数１〜１６のアルキル基としては、より具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基などが挙げられる。これらは直鎖でも分枝状でもよい。
【００３７】
炭素数１〜１６のアルキル基としては、特に制限はないが、プロピレンやブチレンのオリゴマーから誘導される分枝アルキル基が特に好ましい。
【００３８】
アルキルフェニル−α−ナフチルアミン系酸化防止剤としては、例えば下記一般式（４）で表されるＮ−ｐ−アルキルフェニル−α−ナフチルアミン化合物などが挙げられる。
【００３９】
【化５】
0006721377.tif 000006
【００４０】
上記一般式（４）中、Ｒ３は炭素数１〜１６、好ましくは４〜１２、より好ましくは８〜１２のアルキル基を示す。
【００４１】
炭素数１〜１６のアルキル基としては、より具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基などが挙げられる。これらは直鎖でも分枝状でもよい。
【００４２】
炭素数１〜１６のアルキル基としては、特に制限はないが、プロピレンやブチレンのオリゴマーから誘導される分枝アルキル基が特に好ましい。
【００４３】
アミン系酸化防止剤としては、ジアルキルジフェニルアミン系酸化防止剤およびアルキルフェニル−α−ナフチルアミン系酸化防止剤を併用することが好ましい。
【００４４】
本発明の潤滑油組成物におけるアミン系酸化防止剤の含有量は、潤滑油組成物全量基準で、０．１質量％以上であり、０．２質量％以上が好ましく、０．３質量％以上がより好ましい。一方、アミン系酸化防止剤の含有量は３．０質量％以下であり、２．５質量％以下が好ましく、１．５質量％以下がより好ましい。
アミン系酸化防止剤の含有量が０．１質量％未満だと潤滑油組成物の長期酸化寿命が不十分となり、３．０質量％を超えると低スラッジ性を確保できなくなる。
【００４５】
本発明の潤滑油組成物は、（Ｄ）成分として、フェノール系酸化防止剤を含有する。
【００４６】
フェノール系酸化防止剤としては、例えば、４，４’−メチレンビス（２，６−ジ−ｔｅｒｔ−ブチルフェノール）、４，４’−ビス（２，６−ジ−ｔｅｒｔ−ブチルフェノール）、４，４’−ビス（２−メチル−６−ｔｅｒｔ−ブチルフェノール）、２，２’−メチレンビス（４−エチル−６−ｔｅｒｔ−ブチルフェノール）、２，２’−メチレンビス（４−メチル−６−ｔｅｒｔ−ブチルフェノール）、４，４’−ブチリデンビス（３−メチル−６−ｔｅｒｔ−ブチルフェノール）、４，４’−イソプロピリデンビス（２，６−ジ−ｔｅｒｔ−ブチルフェノール）、２，２’−メチレンビス（４−メチル−６−ノニルフェノール）、２，２’−イソブチリデンビス（４，６−ジメチルフェノール）、２，２’−メチレンビス（４−メチル−６−シクロヘキシルフェノール）、２，６−ジ−ｔｅｒｔ−ブチル−４−メチルフェノール、２，６−ジ−ｔｅｒｔ−ブチル−４−エチルフェノール、２，４−ジメチル−６−ｔｅｒｔ−ブチルフェノール、２，６−ジ−ｔｅｒｔ−α−ジメチルアミノ−ｐ−クレゾール、２，６−ジ−ｔｅｒｔ−ブチル−４（Ｎ，Ｎ’−ジメチルアミノメチルフェノール）、４，４’−チオビス（２−メチル−６−ｔｅｒｔ−ブチルフェノール）、４，４’−チオビス（３−メチル−６−ｔｅｒｔ−ブチルフェノール）、２，２’−チオビス（４−メチル−６−ｔｅｒｔ−ブチルフェノール）、ビス（３−メチル−４−ヒドロキシ−５−ｔｅｒｔ−ブチルベンジル）スルフィド、ビス（３，５−ジ−ｔｅｒｔ−ブチル−４−ヒドロキシベンジル）スルフィド、２，２’−チオ−ジエチレンビス［３−（３，５−ジ−ｔｅｒｔ−ブチル−４−ヒドロキシフェニル）プロピオネート］、トリデシル−３−（３，５−ジ−ｔｅｒｔ−ブチル−４−ヒドロキシフェニル）プロピオネート、ペンタエリスリチル−テトラキス［３−（３，５−ジ−ｔｅｒｔ−ブチル−４−ヒドロキシフェニル）プロピオネート］、オクチル−３−（３，５−ジ−ｔｅｒｔ−ブチル−４−ヒドロキシフェニル）プロピオネート、オクタデシル−３−（３，５−ジ−ｔｅｒｔ−ブチル−４−ヒドロキシフェニル）プロピオネート、３−メチル−５−ｔｅｒｔ−ブチル−４−ヒドロキシフェニル置換脂肪酸エステル類等を好ましい例として挙げることができる。これらは二種以上を混合して使用してもよい。
【００４７】
これらの中でも、ジ−ｔｅｒｔ−ブチル−ｐ−クレゾール（ＤＢＰＣ）が好ましい。
【００４８】
フェノール系酸化防止剤の含有量は、潤滑油組成物全量基準で、０．１質量％以上であり、０．２質量％以上が好ましく、０．３質量％以上がより好ましい。一方、フェノール系酸化防止剤の含有量は３．０質量％以下であり、２．５質量％以下が好ましく、２．０質量％以下がより好ましく、１．０質量％以下が特に好ましい。
含有量が０．１質量％未満だと潤滑油組成物の長期酸価寿命および抗乳化性が不十分となり、３．０質量％を超えると低スラッジ性を確保できなくなると同時に抗乳化性が悪化するため好ましくない。
【００４９】
本発明の潤滑油組成物においては、酸化防止剤として、（Ｃ）アミン系酸化防止剤と共に（Ｄ）フェノール系酸化防止剤を併用することが、本発明の目的を達成するために必要である。アミン系酸化防止剤のみを使用し、フェノール系酸化防止剤を併用しないときは、さび止め性能が不十分となる。
【００５０】
本発明の潤滑油組成物においては、酸化防止剤としてリン系酸化防止剤を含有しないことが好ましい。すなわち、本発明の潤滑油組成物は、上述した特定の範囲内の量のアミン系酸化防止剤とフェノール系酸化防止剤を組み合わせて含有させることで高い性能を発揮するものであるため、リン系酸化防止剤を配合してもその添加量に見合うだけの効果に乏しいばかりか、経済的コストおよび環境リスクの面でも不利である。その観点から、リン系添加剤を含有しないことが好ましく、含有する場合でも、その含有量は０．０５質量％以下が好ましく、０．０１質量％以下がより好ましく、実質的に０質量％であることが特に好ましい。
なお、ここでリン系酸化防止剤とは、潤滑油組成物に通常使用されるものを意味する。より具体的には例えば、亜リン酸エステルなどが挙げられる。
【００５１】
本発明の潤滑油組成物は、さらに、腐食防止剤、流動点降下剤および消泡剤から選ばれる少なくとも１種の添加剤を含有することが好ましい。
【００５２】
腐食防止剤としては、潤滑油用の腐食防止剤として通常用いられる任意の化合物が使用可能であり、例えば、ベンゾトリアゾール系、トリルトリアゾール系、イミダゾール系化合物等が挙げられる。これらの中から任意に選ばれた１種類あるいは２種類以上の化合物は、任意の量を含有させることができるが、含有する場合の含有量は、通常、潤滑油組成物全量基準で０．０１〜３質量％である。
【００５３】
流動点降下剤としては、例えば、使用する潤滑油基油に適合するポリメタクリレート系のポリマー等が使用でき、含有する場合の含有量は、通常、潤滑油組成物全量基準で０．０００５〜０．０１質量％である。
【００５４】
消泡剤としては、潤滑油用の消泡剤として通常用いられる任意の化合物が使用可能であり、例えば、ジメチルシリコーン、フルオロシリコーン等のシリコーン類、アルケニルコハク酸誘導体、ポリヒドロキシ脂肪族アルコールと長鎖脂肪酸のエステル、メチルサリチレートとｏ−ヒドロキシベンジルアルコール等が挙げられる。これらの中から任意に選ばれた１種類あるいは２種類以上の化合物は、任意の量を含有させることができるが、含有する場合の含有量は、通常、潤滑油組成物全量基準で０．００１〜０．０５質量％である。
【００５５】
本発明の潤滑油組成物の用途は特に制限されるものではないが、圧縮機及び増速歯車装置を備えるタービン装置の潤滑油として特に好ましく使用される。タービン装置には、水力タービン、蒸気タービン、ガスタービン等があるが、本発明の潤滑油組成物は特に増速歯車装置を備えるガスタービン装置に用いた場合に優れた効果を発揮する。このようなガスタービン装置の出力数に特に制限はない。
【００５６】
また、本発明の潤滑油組成物は、その優れた特性から、上記用途の他にも、油圧作動油、工業用ギヤ油、軸受油、圧縮機油等の用途においても好ましく使用することができる。
【実施例】
【００５７】
以下に実施例を挙げて本発明を具体的に説明するが、本発明はこれらの実施例に限定されるものではない。  
【００５８】
（実施例１〜１７および比較例１〜１２）
表１〜２に示す組成の潤滑油組成物を調製した。表１〜２において、潤滑油基油および各添加剤の添加量の割合（質量％）は組成物全量基準である。各潤滑油組成物の性状について下記の試験で評価し表１〜２に併記した。
【００５９】
（さび止め性能評価試験）
ＪＩＳ―Ｋ２５１０―１９９８に規定される潤滑油−さび止め性能試験方法に準拠して、さび止め性能試験を行った。試験開始から２４時間後の試験片の外観を観察して、「さびなし」と「さびあり」を判断した。「さびあり」では試験片のさびの発生状態を下の基準で評価した。
（ａ）：試験片の表面に直径１ｍｍ以下のさびのはん点が６個以下の場合を「さびあり（軽微）」
（ｂ）：（ａ）を超え、試験片表面の５％以下にさびが認められる場合を「さびあり（中度）」
（ｃ）：試験片の表面の５％を超えるさびがあった場合を「さびあり（高度）」
【００６０】
（抗乳化性能評価試験）
ＪＩＳ  Ｋ２２５０に規定される抗乳化性能試験に準拠して、油層・乳化層・水層のうち乳化層が全量基準で８０ｍｌ中３ｍｌ以下となるまでに要した時間で評価した。
【００６１】
【表１】
0006721377.tif 000007
【００６２】
【表２】
0006721377.tif 000008
【００６３】
表１から明らかなように、実施例１〜１７の本発明の潤滑油組成物は、高度なさび止め性能を維持しつつ、良好な抗乳化性を実現しており、タービン用潤滑油として好適であることが分かる。
これに対し、表２に示すように、アルケニルコハク酸エステルを含有しない比較例１〜３および５はさび止め性に劣ることが分かる。またアルケニルコハク酸エステルの含有量が０．０７質量％より多いと抗乳化性に劣る。
また、サルコシン酸誘導体の含有量が０．００８質量％未満の比較例４〜７および１０も、さび止め性に劣ることが分かる。一方、サルコシン酸誘導体の含有量が０．０４質量％より多い比較例９および１１は、さび止め性に優れるものの抗乳化性に劣る。
また、酸化防止剤として、アミン系酸化防止剤のみを含有し、フェノール系酸化防止剤を含有しない比較例８および１０は抗乳化性に劣ることが分かる。
【産業上の利用可能性】
【００６４】
本発明の潤滑油組成物は、優れたさび止め性能と抗乳化性を両立した潤滑油組成物であり、特に産業向けガスタービンあるいはコンバインドサイクルでの使用に好適に用いられる。